(57)【要約】      （修正有）【課題】水平方向に大きな配設スペースを要することなく、狭小地にも設置し易い機能性ガス溶解温水供給装置を提供する。【解決手段】本発明の機能性ガス溶解温水供給装置の一例である炭酸温水供給装置は、熱交換器３、５、加熱手段７、９、内部給湯管１３、炭酸ガス溶解装置１５及び炭酸ガス供給管１７が筐体１内に設けられている。炭酸ガスボンベは、炭酸ガスを内部に貯留するボンベ本体と、ボンベ本体から突出し、係合によって炭酸ガスを吐出可能な係合部とを有している。筐体１の底壁には、炭酸ガス供給管１７と接続され、係合部が係合される被係合部１７ａが設けられている。【選択図】図１
2020133996.tif 000002
【特許請求の範囲】
【請求項１】
水路が形成された熱交換器と、前記熱交換器を加熱して前記水路を流れる水を加熱可能な加熱手段と、前記水路と接続されるとともに外部給湯管を介して浴槽に接続される内部給湯管と、機能性ガスを内部に貯留する機能性ガスボンベと接続される機能性ガス供給管と、前記機能性ガス供給管と接続され、前記水に前記機能性ガスを溶解させて機能性ガス溶解水を生成する機能性ガス溶解手段とを備えた機能性ガス溶解温水供給装置であって、
前記熱交換器、前記加熱手段、前記内部給湯管、前記機能性ガス溶解手段及び前記機能性ガス供給管は筐体内に設けられ、
前記機能性ガスボンベは、前記機能性ガスを内部に貯留するボンベ本体と、前記ボンベ本体から突出し、係合によって前記機能性ガスを吐出可能な係合部とを有し、
前記筐体の底壁には、前記機能性ガス供給管と接続され、前記係合部が係合される被係合部が設けられていることを特徴とする機能性ガス溶解温水供給装置。
【請求項２】
前記被係合部は、前記筐体を前記底壁側から投影した際に、前記筐体の外周面の内側に前記機能性ガスボンベが配設される位置にある請求項１記載の機能性ガス溶解温水供給装置。
【請求項３】
前記被係合部は前記底壁に凹設されている請求項１又は２記載の機能性ガス溶解温水供給装置。
【請求項４】
前記筐体は、前記熱交換器、前記加熱手段及び前記内部給湯管を収納する第１筐体と、前記第１筐体とは別に前記機能性ガス溶解手段及び前記機能性ガス供給管を収納する第２筐体とからなり、
前記被係合部は前記第２筐体の底壁に設けられている請求項１乃至３のいずれか１項記載の機能性ガス溶解温水供給装置。
【発明の詳細な説明】
【技術分野】
【０００１】
本発明は機能性ガス溶解温水供給装置に関する。
【背景技術】
【０００２】
特許文献１に従来の機能性ガス溶解温水供給装置としての炭酸温水供給装置が開示されている。この炭酸温水供給装置は、熱交換器と、加熱手段と、給湯管と、炭酸ガス供給管と、炭酸ガス溶解装置と、炭酸ガスボンベとを備えている。
【０００３】
熱交換器には、外部や浴槽から供給される水が流通される水路が形成されている。加熱手段は、熱交換器を加熱して水路を流れる水を加熱可能である。具体的には、バーナ等が加熱手段に相当する。給湯管は水路と接続されているとともに浴槽に接続されている。炭酸ガス供給管は、炭酸ガスを内部に貯留する炭酸ガスボンベと接続されている。炭酸ガス溶解装置は、炭酸ガス供給管と接続され、水に炭酸ガスを溶解させて炭酸水を生成する。
【０００４】
この炭酸温水供給装置により、炭酸水からなる温水が浴槽内に供給され得ることから、入浴者は炭酸浴を行なうことが可能になる。
【先行技術文献】
【特許文献】
【０００５】
【特許文献１】特開２０１１−２０８９１５号公報
【発明の概要】
【発明が解決しようとする課題】
【０００６】
しかし、上記従来の炭酸温水供給装置では、炭酸ガスボンベの配設場所が具体的に開示されていない。狭小地では、幅方向又は奥行き方向、すなわち水平方向に炭酸ガスボンベの配設のためのスペースを確保することができず、炭酸温水供給装置の設置が困難である。
【０００７】
本発明は、上記従来の実情に鑑みてなされたものであって、水平方向に大きな配設スペースを要することなく、狭小地にも設置し易い機能性ガス溶解温水供給装置を提供することを解決すべき課題としている。
【課題を解決するための手段】
【０００８】
本発明の機能性ガス溶解温水供給装置は、水路が形成された熱交換器と、前記熱交換器を加熱して前記水路を流れる水を加熱可能な加熱手段と、前記水路と接続されるとともに外部給湯管を介して浴槽に接続される内部給湯管と、機能性ガスを内部に貯留する機能性ガスボンベと接続される機能性ガス供給管と、前記機能性ガス供給管と接続され、前記水に前記機能性ガスを溶解させて機能性ガス溶解水を生成する機能性ガス溶解手段とを備えた機能性ガス溶解温水供給装置であって、
前記熱交換器、前記加熱手段、前記内部給湯管、前記機能性ガス溶解手段及び前記機能性ガス供給管は筐体内に設けられ、
前記機能性ガスボンベは、前記機能性ガスを内部に貯留するボンベ本体と、前記ボンベ本体から突出し、係合によって前記機能性ガスを吐出可能な係合部とを有し、
前記筐体の底壁には、前記機能性ガス供給管と接続され、前記係合部が係合される被係合部が設けられていることを特徴とする。
【０００９】
本発明の機能性ガス溶解温水供給装置では、筐体内に熱交換器、加熱手段及び内部給湯管の他、機能性ガス溶解手段及び機能性ガス供給管が設けられている。また、機能性ガスボンベがボンベ本体と係合部とを有し、筐体に被係合部が設けられている。このため、機能性ガスボンベの係合部を筐体の被係合部に係合しさえすれば、機能性ガスボンベを機能性ガス溶解温水供給装置の機能性ガス供給管に容易に接続できる。
【００１０】
ここで、筐体の側壁や前壁や後壁で被係合部に係合部を接続しようとすると、幅方向又は奥行き方向、すなわち水平方向に機能性ガスボンベの配設のためのスペースを要してしまう。しかしながら、本発明の機能性ガス溶解温水供給装置では、被係合部が筐体の底壁に設けられているため、水平方向に大きな配設スペースを要しない。すなわち、例えば、機能性ガス溶解温水供給装置の一例である炭酸温水供給装置では、筐体の底壁には、（１）筐体内における熱交換器の水路に給水管を介して接続され、外部から水を供給するための水道管が接続される給水接続口、（２）筐体内の内部給湯管に接続され、内部給湯管内の温水を浴室の洗い場や台所等に供給するための外部給湯管が接続される給湯接続口、（３）内部燃料ガス管に接続され、燃料ガスを内部燃料ガス管に供給するための外部燃料ガス管が接続される燃料ガス接続口、（４）電力線が挿通されるケーブル接続口、（５）熱交換器で発生したドレン水を排出するためのドレン配管接続口、（６）ドレン水を中和する中和器の水抜栓、（７）ポンプの水抜栓、（８）筐体内の内部給湯管に接続され、浴槽まで延びる循環管が接続される往路接続口及び帰路接続口等が配置され得る。これらと同様、炭酸ガスボンベ等の機能性ガスボンベが筐体の底壁に装着されるため、配設スペースの大型化を生じない。このため、機能性ガス溶解温水供給装置を狭小地にも容易に設置できる。
【００１１】
したがって、本発明の機能性ガス溶解温水供給装置は、水平方向に大きな配設スペースを要することなく、狭小地にも設置可能である。
【００１２】
機能性ガスとしては、炭酸ガス、酸素ガス、水素ガス等、水に溶解させた溶解水で人が入浴等をすることによりその人の健康が増進し得る気体を採用することができる。機能性ガスボンベはこのような機能性ガスを加圧状態で内部に貯留しているものであり得る。
【００１３】
被係合部は、筐体を底壁側から投影した際に、筐体の外周面の内側に機能性ガスボンベが配設される位置にあることが好ましい。この場合、機能性ガスボンベを筐体の底壁に装着しても、筐体の外周面から機能性ガスボンベがはみ出すことがなく、配設スペースに問題を生じ難い。
【００１４】
被係合部は底壁に凹設されていることが好ましい。この場合、底壁から上方に凹んだ被係合部に係合部を係合できるため、被係合部を目視しながらこの作業を行なう必要がないことから、機能性ガスボンベを筐体の底壁に装着し易い。また、被係合部が凹設されているため、外部からの衝撃によって損傷し難い。
【００１５】
筐体は、熱交換器、加熱手段及び内部給湯管を収納する第１筐体と、第１筐体とは別に機能性ガス溶解手段及び機能性ガス供給管を収納する第２筐体とからなり得る。被係合部は第２筐体の底壁に設けられていることも可能である。この場合、第１筐体で構成される既存の給湯装置に対し、第２筐体で構成される機能性ガス溶解温水供給部をオプションで設けることが可能となり、既存の給湯装置と機能性ガス溶解温水供給部とで本発明の機能性ガス溶解温水供給装置を構成することができる。
【００１６】
この機能性ガス溶解温水供給部だけを本発明の機能性ガス溶解温水供給装置とする場合、この機能性ガス溶解温水供給装置は、給湯装置と接続され、外部給湯管を介して浴槽に接続される内部給湯管と、機能性ガスを内部に貯留する機能性ガスボンベと接続される機能性ガス供給管と、前記機能性ガス供給管と接続され、水に機能性ガスを溶解させて機能性ガス溶解水を生成する機能性ガス溶解手段とを備えた機能性ガス溶解温水供給装置であって、
前記機能性ガス溶解手段及び前記機能性ガス供給管は筐体内に設けられ、
前記機能性ガスボンベは、前記機能性ガスを内部に貯留するボンベ本体と、前記ボンベ本体から突出し、係合によって前記機能性ガスを吐出可能な係合部とを有し、
前記筐体の底壁には、前記機能性ガス供給管と接続され、前記係合部が係合される被係合部が設けられていることを特徴とする。
【発明の効果】
【００１７】
本発明の機能性ガス溶解温水供給装置は、水平方向に大きな配設スペースを要することなく、狭小地にも設置可能である。
【図面の簡単な説明】
【００１８】
【図１】図１は、実施例１の炭酸温水供給装置の模式構成図である。
【図２】図２は、実施例１の炭酸温水供給装置の底面図である。
【図３】図３は、実施例１の炭酸温水供給装置に係り、炭酸ガスボンベを装着しようとする状態の正面図である。
【図４】図４は、実施例１の炭酸温水供給装置に係り、炭酸ガスボンベを装着した後の正面図である。
【図５】図５は、実施例１の炭酸温水供給装置に係り、炭酸ガスボンベを装着した後の底面図である。
【図６】図６は、実施例２の炭酸温水供給装置の模式構成図である。
【図７】図７は、実施例３の炭酸温水供給装置の模式構成図である。
【発明を実施するための形態】
【００１９】
以下、本発明の機能性ガス溶解温水供給装置を炭酸温水供給装置に具体化した実施例１〜３を図面を参照しつつ説明する。
【００２０】
（実施例１）
実施例１の炭酸温水供給装置は、図１に示すように、筐体１と、第１熱交換器３と、第２熱交換器５と、第１バーナ７と、第２バーナ９と、内部燃料ガス管１１と、給水管１９と、内部給湯管１３と、ポンプ３７と、炭酸ガス溶解装置１５と、炭酸ガス供給管１７とを備えている。
【００２１】
筐体１は、壁箱形状であり、戸建て住宅の壁面や集合住宅のＰＳ扉内の壁面に固定されるようになっている。筐体１は、図２に示すように、底壁１ａを有している。第１、２熱交換器３、５、第１、２バーナ７、９、内部燃料ガス管１１、給水管１９、内部給湯管１３、ポンプ３７、炭酸ガス溶解装置１５及び炭酸ガス供給管１７は筐体１内に設けられている。
【００２２】
図１に示すように、第１熱交換器３には水が流通される図示しない水路が形成され、水路の上流側には給水管１９が接続されている。給水管１９は、図２に示すように、底壁１ａから下方に突出する給水接続口１９ａと接続されている。給水接続口１９ａには、図１に示すように、接続具２１ａを介して水道管２３が接続される。
【００２３】
第１熱交換器３の水路の下流側には第１給湯管２５が接続されている。第１給湯管２５は、図２に示すように、底壁１ａから下方に突出する給湯接続口２５ａと接続されている。給湯接続口２５ａには、図１に示すように、接続具２１ｂを介して第１外部給湯管２７が接続される。第１外部給湯管２７は、浴室の洗い場や台所等に延びている。
【００２４】
第１給湯管２５の途中に炭酸ガス溶解装置１５が接続されている。炭酸ガス溶解装置１５は中空糸膜等を用いた公知のものである。炭酸ガス溶解装置１５が機能性ガス溶解手段に相当する。
【００２５】
第１給湯管２５は、炭酸ガス溶解装置１５の下流側に中継管２９が接続されている。中継管２９には、上流側から順番に開閉弁３１及び流量センサ３３が設けられている。開閉弁３１は中継路２９を開閉可能であり、流量センサ３３は中継路２９を流れる温水の流量を検出可能である。中継路２９の下流側には第１循環管３５が接続されている。
【００２６】
第１循環管３５の一端側にポンプ３７が設けられている。ポンプ３７の吸い込み側の第１循環管３５は、図２に示すように、底壁１ａから下方に突出する帰路接続口３５ａと接続されている。帰路接続口３５ａには、図１に示すように、接続具２１ｃを介して第２外部給湯管３９が接続される。第２外部給湯管３９は浴槽１００内まで延びている。ポンプ３７は浴槽１００内の水や温水を第２外部給湯管３９を介して第１循環管３５内に流通させるようになっている。
【００２７】
第２熱交換器５にも水が流通される図示しない水路が形成され、水路の上流側に第１循環管３５の他端が接続されている。第１循環管３５には、中継路２９側から順番に温度センサ４１、水流スイッチ４３及び水位センサ４５が設けられている。温度センサ４１は、第１循環管３５内を流れる水や温水の温度を検出可能である。水流スイッチ４３は、第１循環管３５内を流れる水や温水の有無を検出可能である。水位センサ４５は、第１循環管３５内の水や温水の圧力により、浴槽１００内の水位を検出する。
【００２８】
第２熱交換器５の水路の下流側には第２循環管４７が接続されている。第１給湯管２５、中継管２９、第１循環管３５及び第２循環管４７が内部給湯管１３に相当する。第２循環管４７は、図２に示すように、底壁１ａから下方に突出する往路接続口４７ａと接続されている。往路接続口４７ａには、図１に示すように、接続具２１ｄを介して第３外部給湯管４９が接続される。第３外部給湯管４９も浴槽１００内まで延びている。
【００２９】
内部燃料ガス管１１は筐体１内で第１内部燃料ガス管１１ａと第２内部燃料ガス管１１ｂとに分岐されている。第１内部燃料ガス管１１ａは第１バーナ７に接続されており、第２内部燃料ガス管１１ｂは第２バーナ９に接続されている。第１バーナ７及び第２バーナ９が加熱手段に相当する。
【００３０】
内部燃料ガス管１１の基端は、図２に示すように、底壁１ａから下方に突出する燃料ガス接続口１１ｃと接続されている。燃料ガス接続口１１ｃには、図１に示すように、接続具２１ｅを介して外部燃料ガス管５１が接続される。燃料ガス供給管５１は燃料ガスとしての都市ガスやプロパンガスを供給可能になっている。
【００３１】
燃料ガス管１１には、第１燃料ガス管１１ａ及び第２燃料ガス管１１ｂに分岐する前にガス元弁５３が設けられている。ガス元弁５３は燃料ガス管１１を開閉可能である。第１燃料ガス管１１ａには、給湯ガス弁５５及び給湯流量調節弁５７が設けられている。給湯ガス弁５５は第１燃料ガス管１１ａを開閉可能であり、給湯流量調節弁５７は第１バーナ７への燃料ガスの供給流量を変更する。第２燃料ガス管１１ｂにも、給湯ガス弁５９及び給湯流量調節弁６１が設けられている。給湯ガス弁５９は第２燃料ガス管１１ｂを開閉可能であり、給湯流量調節弁６１は第２バーナ９への燃料ガスの供給流量を変更する。
【００３２】
筐体１内には、機能性ガス供給管としての炭酸ガス供給管１７が設けられている。炭酸ガス供給管１７の基端は、図２に示すように、底壁１ａから下方に突出するボンベ接続口１７ａと接続されている。ボンベ接続口１７ａが被係合部に相当する。ボンベ接続口１７ａは、燃料ガス接続口１１ｃと、後述するケーブル接続口６５ａとの間に配置されている。ボンベ接続口１７ａは、底壁１ａにおいて、給水接続口１９ａ、給湯接続口２５ａ、帰路接続口３５ａ及び往路接続口４７ａからは可及的に離間している。
【００３３】
図１に示すように、炭酸ガス供給管１７は、筐体１内において、炭酸ガス溶解装置１５に接続されている。炭酸ガス供給管１７には、ボンベ接続口１７ａから順番に減圧弁６５及び開閉弁６７が設けられている。減圧弁６５は炭酸ガス溶解装置１５に供給する炭酸ガスの圧力を減圧する。開閉弁６７は炭酸ガス供給管１７を開閉する。
【００３４】
ボンベ接続口１７ａは底壁１ａから上方に凹んで形成されている。このため、筐体１の設置前の輸送時等において、ボンベ接続口１７ａが外部からの衝撃によって損傷し難くなっている。ボンベ接続口１７ａの内周面には雌ねじが形成されている。また、ボンベ接続口１７ａ内には、下方に延びる図示しない凸部が設けられている。図３及び図４に示すように、ボンベ接続口１７ａに機能性ガスボンベとしての炭酸ガスボンベ６３が接続される。
【００３５】
炭酸ガスボンベ６３は市販のカートリッジである。この炭酸ガスボンベ６３は、機能性ガスである炭酸ガスを内部に貯留するボンベ本体６３ａと、ボンベ本体６３ａから突出し、係合によって炭酸ガスを吐出可能な係合部６３ｂとを有している。係合部６３ｂの外周面には、ボンベ接続口１７ａの雌ねじと螺合する雄ねじが形成されている。また、係合部６３ｂ内には、係合部６３ｂの雄ねじがボンベ接続口１７ａの雌ねじに螺合することにより、ボンベ接続口１７ａの凸部に押されて開く図示しない開閉弁が設けられている。
【００３６】
このため、図３に示すように、炭酸ガスボンベ６３の装着を行なう者は、まず、炭酸ガスボンベ６３の係合部６３ｂを上にしてボンベ本体６３ａを手に持ち、係合部６３ｂをボンベ接続口１７ａまで移動する。この際、底壁１ａから上方に凹んだボンベ接続口１７ａに係合部６３ｂを嵌めることができるため、ボンベ接続口１７ａを目視しながらこの作業を行なう必要がない。そして、ボンベ本体６３ａを水平に回転させることにより、係合部６３ｂをボンベ接続口１７ａに螺合する。こうして、係合部６３ｂとボンベ接続口１７ａとの係合を終えることにより、炭酸ガスボンベ６３が筐体１の底壁１ａに装着される。こうして、炭酸ガスボンベ６３を筐体１の底壁１ａに容易に装着でき、優れた利便性を発揮する。この状態において、炭酸ガスボンベ６３は、図５に示すように、筐体１の外周面の内側に配設される。また、係合部６３ｂが上方に位置するため、係合部６３ｂが詰まり難い。
【００３７】
筐体１の底壁１ａには、上記の給水接続口１９ａ、給湯接続口２５ａ、燃料ガス接続口１１ｃ、帰路接続口３５ａ、往路接続口４７ａ及びボンベ接続口１７ａの他、図２に示すように、ケーブル接続口６５ａ、ドレン配管接続口６５ｂ及び水抜栓６５ｃ、６５ｄが設けられている。ケーブル接続口６５ａは、筐体１内外を連通させ、電源ケーブルと、図示しないリモコンを接続するリモコンケーブルとを挿通するためのものである。ドレン配管接続口６５ｂは第１、２熱交換器３、５で発生したドレン水を排出するためのものである。水抜栓６５ｃはドレン水を中和する図示しない中和器に接続されている。水抜栓６５ｄはポンプ３７に接続されている。
【００３８】
以上のように構成されたこの炭酸温水供給装置では、筐体１内に第１、２熱交換器３、５、第１、２バーナ７、９、内部燃料ガス管１１及び内部給湯管１３の他、炭酸ガス溶解装置１５及び炭酸ガス供給管１７が設けられている。また、筐体１の底壁１ａは、給水管１９、内部給湯管１３、内部燃料ガス管１１等が外部に接続されているとともに、炭酸ガス供給管１７が炭酸ガスボンベ６３に接続されている。
【００３９】
また、この炭酸温水供給装置には、図示しない２個のリモコンが接続されている。一つのリモコンは浴室に設けられ、他の一つのリモコンは台所に設けられている。各リモコンの操作により、浴槽１００への給湯及び追い焚きが可能である。また、各リモコンの操作により開閉弁６７によって炭酸ガス供給管１７を開き、炭酸ガス溶解装置１５内の湯水に対して炭酸ガスボンベ６３内の炭酸ガスを供給すれば、第１給湯管２５内の湯水に炭酸ガスを溶解することができる。このため、第１外部給湯管２７、第２外部給湯管３９及び第３外部給湯管４９から供給する湯を炭酸ガスが溶解した水である炭酸水とすることができる。炭酸水が機能性ガス溶解水に相当する。
【００４０】
このため、入浴者は、給湯時には第２外部給湯管３９及び第３外部給湯管４９から浴槽１００に供給する湯を炭酸水とし、追い焚き時には第３外部給湯管４９から浴槽１００に供給する湯を炭酸水とし、一般的な給湯装置による入浴と同様に炭酸浴を行なうことができる。
【００４１】
また、この炭酸温水供給装置では、炭酸ガスボンベ６３が筐体１の底壁１ａに装着され、筐体１の側壁や前壁や後壁で炭酸ガスボンベ６３を接続していないため、配設スペースの水平方向に対する大型化を生じない。
【００４２】
特に、この炭酸温水供給装置では、炭酸ガスボンベ６３が筐体１の外周面の内側に配設されるため、炭酸ガスボンベ６３を筐体１の底壁１ａに装着しても、筐体１の外周面から炭酸ガスボンベ６３がはみ出すことがなく、配設スペースに問題を生じ難い。
【００４３】
また、ボンベ接続口１７ａが底壁１ａに凹設されているため、図４に示すように、炭酸ガスボンベ６３の装着後には、筐体１からはその炭酸ガスボンベ６３のボンベ本体６３ａが突出するだけとなる。このため、ボンベ接続口が底壁１ａに凸設されている場合に比べ、炭酸ガスボンベ６３の下方の空間が大きくなるため、水道管２３や第１〜３外部給湯管２７、３９、４９等の配管を配設し易くなる。
【００４４】
したがって、この炭酸温水供給装置は、水平方向に大きな配設スペースを要することなく、狭小地にも設置可能である。
【００４５】
このため、この炭酸温水供給装置は、炭酸浴を望むユーザが設置する際に高い自由度を発揮することができる。また、この炭酸温水供給装置は、炭酸ガスボンベ６３を筐体１の底壁１ａに装着しない場合にも、ボンベ接続口１７ａが筐体１からはみ出さないため、優れた意匠性を発揮する。
【００４６】
また、この炭酸温水供給装置では、ボンベ接続口１７ａが燃料ガス接続口１１ｃに近接し、給水接続口１９ａ、給湯接続口２５ａ、帰路接続口３５ａ及び往路接続口４７ａから離間している。より詳しくは、ボンベ接続口１７ａは、給水接続口１９ａ、給湯接続口２５ａ、帰路接続口３５ａ及び往路接続口４７ａよりも燃料ガス接続口１１ｃに近接して配設されている。このため、炭酸ガスボンベ６３が使用によって冷え、周囲を冷却するおそれがあっても、差し支えを生じず、給水管１９内の水が冷却される等による熱効率低下等の不具合を防止できる。
【００４７】
（実施例２）
実施例２の炭酸温水供給装置では、図６に示すように、炭酸ガス溶解装置１５が第１給湯管２５ではなく、第１循環管３５に設けられている。他の構成は実施例１と同様である。
【００４８】
この炭酸温水供給装置では、第１外部給湯管２７から炭酸水を吐出することはできないものの、追い焚き時に第３外部給湯管４９から浴槽１００に供給する湯を炭酸水とすることができる。他の作用効果は実施例１と同様である。
【００４９】
なお、炭酸ガス溶解装置１５を第１循環管３５ではなく、第３外部給湯管４９に設けてもよい。
【００５０】
（実施例３）
実施例３の炭酸温水供給装置は、図７に示すように、第１筐体２と第２筐体４とを備えている。第１筐体２と第２筐体４とは別体となっている。
【００５１】
第１筐体２内には、第１、２熱交換器３、５と、第１、２バーナ７、９と、内部燃料ガス管１１と、第１、２内部燃料ガス管１１ａ、１１ｂと、給水管１９と、内部給湯管１３と、ポンプ３７とが設けられている。第１筐体２の底壁２ａには、給水接続口１９ａ、給湯接続口２５ａ、燃料ガス接続口１１ｃ、帰路接続口３５ａ及び往路接続口４７ａが設けられている。往路接続口４７ａには、接続具２１ｄを介して第１外部導水管７３が接続される。
【００５２】
第２筐体４内に炭酸ガス溶解装置１５と、炭酸ガス供給管１７とが設けられている。第２筐体４内には導水管７１が設けられている。導水管７１に炭酸ガス溶解装置１５が接続されている。導水管７１の一端は、第２筐体４の底壁４ａから下方に突出する第１導水接続口７１ａと接続されている。また、導水管７１の他端は、底壁４ａから下方に突出する第２導水接続口７１ｂと接続されている。底壁４ａにボンベ接続口１７ａが設けられている。
【００５３】
第１導水接続口７１ａには、接続具２１ｆを介して第１外部導水管７３が接続される。第２導水接続口７１ｂには、接続具２１ｇを介して第２外部導水管７５が接続される。第２外部導水管７５は浴槽１００内まで延びている。他の構成は実施例１と同様である。
【００５４】
この炭酸温水供給装置では、第１筐体２で構成される既存の給湯装置に対し、第２筐体４で構成される炭酸温水供給部をオプションで設けることが可能となり、既存の給湯装置と炭酸温水供給部とで実施例１と同様の作用効果を奏することができる。
【００５５】
以上において、本発明を実施例１〜３に即して説明したが、本発明は上記実施例１〜３に制限されるものではなく、その趣旨を逸脱しない範囲で適宜変更して適用できることはいうまでもない。
【００５６】
例えば、筐体の底壁には、複数個の被係合部が設けられ得る。そして、各被係合部は切替可能に機能性ガス供給管と接続され得る。この場合、小型で単一の機能性ガスボンベでは短時間で機能性ガス溶解温水浴を終えなければならないような場合でも、大型の機能性ガスボンベを用いることなく、個々の小型の機能性ガスボンベを順次使用することにより、長時間機能性ガス溶解温水浴を行なうことが可能となる。
【００５７】
実施例１〜３では、ボンベ接続口１７ａを底壁１ａ、４ａから上方に凹んで形成しているが、被係合部は底壁から下方に突出していてもよい。また、底壁に水平方向を向く被係合部を設けてもよい。
【００５８】
実施例１〜３では、筐体１、２、４を壁面に固定したが、筐体１、２、４に脚を設け、床面や地面上に固定することも可能である。床面や地面上に筐体１、２、４を固定する場合、機能性ガスボンベは脚によって床面や地面から離間される。
【００５９】
実施例１〜３では、機能性ガスとして炭酸ガスを使用したが、炭酸ガスの代わりに酸素ガス、水素ガス等、水に溶解させて溶解水によって人が入浴等をすることにより、その人の健康が増進し得る気体を採用することができる。
【００６０】
また、ＰＳ扉内に機能性ガスボンベが隠蔽される場合を除き、機能性ガスボンベをカバー等によって覆ってもよい。
【００６１】
本発明は、燃料ガスで水を高温として供給するものに限られず、電力で水を高温として供給するもの、燃料ガス及び電力で水を高温として供給するものに適用可能である。また、本発明はふろがまにも適用可能である。
【産業上の利用可能性】
【００６２】
本発明は、戸建て住宅用又は集合住宅用の風呂設備に利用可能である。
【符号の説明】
【００６３】
３、５…熱交換器（３…第１熱交換器、５…第２熱交換器）
７、９…加熱手段（７…第１バーナ、９…第２バーナ）
３９、４９…外部給湯管（３９…第２外部給湯管、４９…第３外部給湯管）
１００…浴槽
１３、２５、２９、３５、４７、７１…内部給湯管（２５…第１給湯管、２９…中継管、３５…第１循環管、４７…第２循環管、７１…導水管）
６３…機能性ガスボンベ（炭酸ガスボンベ）
１７…機能性ガス供給管（炭酸ガス供給管）
１５…機能性ガス溶解手段（炭酸ガス溶解装置）
１、２、４…筐体（２…第１筐体、４…第２筐体）
１ａ、２ａ、４ａ…底壁
６３ａ…ボンベ本体
６３ｂ…係合部
１７ａ…被係合部（ボンベ接続口）
【図１】
2020133996.tif 000003
【図２】
2020133996.tif 000004
【図３】
2020133996.tif 000005
【図４】
2020133996.tif 000006
【図５】
2020133996.tif 000007
【図６】
2020133996.tif 000008
【図７】
2020133996.tif 000009